(57)【特許請求の範囲】
【請求項１】
軸筒と、軸筒内に収容された複数のリフィールと、これらリフィールの後端側にそれぞれ接続された複数の押子と、これら押子をそれぞれ軸方向へ案内するように前記軸筒の外周側に設けられた複数のガイド孔と、各ガイド孔の前方側に連続するとともに各ガイド孔よりも軸筒周方向へ幅広に形成されて前記押子の後端部を挿通可能な挿通孔とを備え、任意の前記押子を前進させて前記ガイド孔の前端側の掛止部に掛止するとともに、その掛止状態を解除可能にした出没式筆記具であって、
前記押子が前記ガイド孔よりも前方へ移動して前記挿通孔から軸筒内へ沈み込んだ場合に、該押子に対し、軸筒中心側から当接して、その沈み込みを規制する沈み込み規制部を設け、前記押子と前記沈み込み規制部が、凹凸状に嵌り合うようにしたことを特徴とする出没式筆記具。
【請求項２】
軸筒と、軸筒内に収容された複数のリフィールと、これらリフィールの後端側にそれぞれ接続された複数の押子と、これら押子をそれぞれ軸方向へ案内するように前記軸筒の外周側に設けられた複数のガイド孔と、各ガイド孔の前方側に連続するとともに各ガイド孔よりも軸筒周方向へ幅広に形成されて前記押子の後端部を挿通可能な挿通孔とを備え、任意の前記押子を前進させて前記ガイド孔の前端側の掛止部に掛止するとともに、その掛止状態を解除可能にした出没式筆記具であって、
前記押子が前記ガイド孔よりも前方へ移動して前記挿通孔から軸筒内へ沈み込んだ場合に、該押子に対し、軸筒中心側から当接して、その沈み込みを規制する沈み込み規制部を設け、前記沈み込み規制部が、軸筒軸方向へわたる凹溝状に形成されていることを特徴とする出没式筆記具。
【請求項３】
前記沈み込み規制部が、沈み込む押子に対する他の押子に設けられていることを特徴とする請求項１又は２記載の出没式筆記具。
【請求項４】
軸筒と、軸筒内に収容された複数のリフィールと、これらリフィールの後端側にそれぞれ接続された複数の押子と、これら押子をそれぞれ軸方向へ案内するように前記軸筒の外周側に設けられた複数のガイド孔と、各ガイド孔の前方側に連続するとともに各ガイド孔よりも軸筒周方向へ幅広に形成されて前記押子の後端部を挿通可能な挿通孔とを備え、任意の前記押子を前進させて前記ガイド孔の前端側の掛止部に掛止するとともに、その掛止状態を解除可能にした出没式筆記具であって、
前記押子が前記ガイド孔よりも前方へ移動して前記挿通孔から軸筒内へ沈み込んだ場合に、該押子に対し、軸筒中心側から当接して、その沈み込みを規制する沈み込み規制部を設け、前記沈み込み規制部が、前記軸筒に対し径方向へ移動不能な部位に設けられていることを特徴とする出没式筆記具。
【請求項５】
沈み込む押子に対し、他の２つの押子を軸筒周方向の両側から近接又は接触させるようにしたことを特徴とする請求項４記載の出没式筆記具。
【請求項６】
前記各押子の前端部に、リフィール後端部を着脱可能に接続する接続部を設けるとともに、複数の前記押子の前記接続部を全て同形状に形成し、これら複数の接続部の各々に対し、任意に選択されたリフィールが着脱されるようにしたことを特徴とする請求項１乃至５何れか１項記載の出没式筆記具。
【発明の詳細な説明】
【技術分野】
【０００１】
本発明は、軸筒内に収容された複数のリフィールを、軸筒外周面から突出する押子の進退操作によって選択的に出没させる出没式筆記具に関するものである。
【背景技術】
【０００２】
従来、この種の出没式筆記具には、例えば特許文献１に記載されるもののように、軸筒内に具備された複数のリフィール（ボールペン用リフィールやシャープペンシル用リフィール等）と、これらリフィールにそれぞれ接続されて軸筒外周面から外部へ突出する複数の押子と、これら押子を後方へ付勢する複数のコイルスプリングとを備えたものがある。
この従来の出没式筆記具では、選択された何れかの押子が前方へ押されると、該押子は、軸筒周壁に形成されたガイド孔に沿って前進し、該ガイド孔の前端側の掛止段部に掛止される。そして、この掛止状態で、他の押子が前進されると、先に前進して掛止状態となった前記押子に対し、後から前進した前記他の押子が当接するため、先に前進した前記押子が、前記掛止段部から外れて前記コイルスプリングの付勢力によって後退する。
また、前記従来の出没式筆記具では、前記ガイド孔の前方側に、前記ガイド孔よりも幅広の挿通孔を有する。この挿通孔は、押子を軸筒周壁に組み付ける際に、該押子の後端部を挿通させるためにある。
【０００３】
ところで、前記のような構成によれば、前記押子を前記掛止状態から更に強引に前進させて軸筒内へ押圧すると、該押子が前記挿通孔から軸筒内へ沈み込み、その沈み込んだ押子の後端部が、前記挿通孔の後端縁に掛止される。
この掛止状態で、前記押子が更に軸筒中心側へ向かって押し込まれてしまうと、この押し込まれた押子が、他の二つの押子の間に挟まれたり、他の押子に当接されない位置関係となったり等するため、前述した通常の解除操作では、前記沈み込んだ押子を後退させることができなくなる場合がある。
そこで、前記従来技術では、前記押子が前記掛止段部よりも若干前進した位置で、前記コイルスプリングを全密着させて、前記押子が過剰に前進するようなことを防いでいる。
【０００４】
しかしながら、前記のようにしてコイルスプリングを全密着させたとしても、悪戯等により、掛止状態の押子が強引に前進操作されると、前記全密着状態が崩れるようにしてコイルスプリングが変形し、押子が前進し前記挿通孔から軸筒内へ沈み込んで、上述した異常な後退不能状態になってしまうおそれがある。
【先行技術文献】
【特許文献】
【０００５】
【特許文献１】特開２００３−３９８８８号公報
【発明の概要】
【発明が解決しようとする課題】
【０００６】
本発明は上記従来事情に鑑みてなされたものであり、その課題とする処は、押子が通常の掛止位置よりも前進し軸筒内へ沈み込んで異常な後退不能状態になること防ぐことができる出没式筆記具を提供することにある。
【課題を解決するための手段】
【０００７】
上記課題を解決するための一手段は、軸筒と、軸筒内に収容された複数のリフィールと、これらリフィールの後端側にそれぞれ接続された複数の押子と、これら押子をそれぞれ軸方向へ案内するように前記軸筒の外周側に設けられた複数のガイド孔と、各ガイド孔の前方側に連続するとともに各ガイド孔よりも軸筒周方向へ幅広に形成されて前記押子の後端部を挿通可能な挿通孔とを備え、任意の前記押子を前進させて前記ガイド孔の前端側の掛止部に掛止するとともに、その掛止状態を解除可能にした出没式筆記具であって、前記押子が前記ガイド孔よりも前方へ移動して前記挿通孔から軸筒内へ沈み込んだ場合に、該押子に対し、軸筒中心側から当接して、その沈み込みを規制する沈み込み規制部を設け、前記押子と前記沈み込み規制部が、凹凸状に嵌り合うようにしたことを特徴とする。
【発明の効果】
【０００８】
本発明は、以上説明したように構成されているので、以下に記載されるような作用効果を奏する。
押子がガイド孔よりも前方へ移動して挿通孔から軸筒内へ沈み込むと、この沈み込んだ押子に対し、軸筒中心側から沈み込み規制部が当接して、その沈み込みを規制する。
よって、押子が通常の掛止位置よりも前進し軸筒中心側へ沈み込んで、他の押子の間に挟まったり、解除操作不能な位置になったり等、異常な後退不能状態になること防ぐことができる。
【図面の簡単な説明】
【０００９】
【図１】本発明に係る出没式筆記具の一例を示す断面図である。
【図２】（ａ）はクリップ支持用押子の一例を示す側面図、（ｂ）は直接操作用押子の一例を示す側面図である。
【図３】押子ガイド体の一例を示す斜視図である。
【図４】同押子ガイド体の一部分を切欠して内部構造を見せるようにした斜視図である。
【図５】直接操作用押子が軸筒内へ沈み込んだ状態を示す要部斜視図である。なお、本図では、輪郭を明確にするために、各押子において曲面と平面の境目を実線で示している。
【図６】図５における(VI)-(VI)線端面図であり、（ａ）は初期状態を示し、（ｂ）は直接操作用押子が軸筒内へ沈み込んだ状態を示す。
【図７】同出没式筆記具の要部断面図であり、（ａ）は直接操作用押子が軸筒内へ沈み込んだ状態を示し、（ｂ）は沈み込んだ直接操作用押子を他の押子によってせり上げている状態を示す。
【図８】本発明に係る出没式筆記具の他例について、切欠して内部構造を見せるようにした要部構造図である。
【図９】図８の(IX)-(IX)線に沿う端面図であり、（ａ）は初期状態を示し、（ｂ）は直接操作用押子を没入させた状態を示す。
【図１０】押子ガイド体の他例を示す斜視図である。
【図１１】同押子ガイド体を斜め前方側から視た状態の斜視図である。
【発明を実施するための形態】
【００１０】
本発明を実施するための一形態では、軸筒と、軸筒内に収容された複数のリフィールと、これらリフィールの後端側にそれぞれ接続された複数の押子と、これら押子をそれぞれ軸方向へ案内するように前記軸筒の外周側に設けられた複数のガイド孔と、各ガイド孔の前方側に連続するとともに各ガイド孔よりも軸筒周方向へ幅広に形成されて前記押子の後端部を挿通可能な挿通孔とを備え、任意の前記押子を前進させて前記ガイド孔の前端側の掛止部に掛止するとともに、その掛止状態を解除可能にした出没式筆記具であって、前記押子が前記ガイド孔よりも前方へ移動して前記挿通孔から軸筒内へ沈み込んだ場合に、該押子に対し、軸筒中心側から当接して、その沈み込みを規制する沈み込み規制部を設けた。
【００１１】
特に、軸筒内のスペースを有効に利用できる形態としては、前記沈み込み規制部が、沈み込む押子に対する他の押子に設けられている。
【００１２】
さらに、沈み込んだ押子が他の押子と軸筒周方向に並んでしまうのを防ぐ好ましい形態としては、前記押子と前記沈み込み規制部が、凹凸状に嵌り合うようにする。
【００１３】
さらに、押子の軸筒軸方向への動きが妨げられないようにする好ましい形態としては、前記沈み込み規制部が、軸筒軸方向へわたる凹溝状に形成されている。
【００１４】
また、他の好ましい形態としては、前記沈み込み規制部が、前記軸筒に対し径方向へ移動不能な部位に設けられている。
【００１５】
さらに、沈み込む押子が周方向へずれて、解除操作され難くなるのを防ぐ形態としては、沈み込む押子に対し、他の２つの押子を軸筒周方向の両側から近接又は接触させる。
【００１６】
また、好みのリフィールを容易に組み替えできるようにした好ましい形態としては、前記各押子の前端部に、リフィール後端部を着脱可能に接続する接続部を設けるとともに、複数の前記押子の前記接続部を全て同形状に形成し、これら複数の接続部の各々に対し、任意に選択されたリフィールが着脱されるようにする。
【００１７】
以下、本発明の実施の形態を図面に基づいて説明する。
なお、以下の説明中、「軸筒軸方向」とは、軸筒１０の軸心（中心線）が延びる方向（図１に示す筆記具１の前後方向）を意味する。
また、「軸筒径方向」とは、軸筒１０の直径方向（軸筒軸方向に直交する方向）を意味する。
また、「軸筒中心方向」とは、軸筒径方向に沿って軸筒中心へ向かう方向を意味する。
また、「軸筒径外方向」とは、軸筒径方向に沿って軸筒外方へ向かう方向を意味する。
【００１８】
図１は、本発明に係わる出没式筆記具の一例を示している。
この出没式筆記具１は、軸筒１０と、該軸筒１０内に収納された複数（本実施の形態の一例では４本又は３本）のリフィール２１，２２と、これらリフィール２１，２２をそれぞれ軸方向へ案内するリフィールガイド部材３０と、リフィール２１，２２の後端側にそれぞれ接続された複数の押子４１，４２と、これら押子をそれぞれ軸方向へ案内する押子ガイド体５０と、軸筒１０後端側に設けられて開閉操作可能なクリップ６０とを備え、前記複数の押子４１，４２のうち、選択された任意の押子を前進させて押子ガイド体５０前端側の掛止部に掛止するとともに、その掛止状態を、他の押子の前進により解除するように構成してある。
【００１９】
軸筒１０は、図示例によれば、前側軸筒１１に、後側軸筒１２を接続してなる長尺筒状の部材である。
この軸筒１０の後端側には、後述する押子ガイド体５０のガイド孔５１ａ及び挿通孔５１ｃ（図３参照）に連通する窓部１２ｃ、同押子ガイド体５０のガイド孔５１ｄ及び挿通孔５１ｆ（図４参照）に連通する窓部１２ｂが設けられる。
窓部１２ｃの軸筒周方向の幅は、押子ガイド体５０の挿通孔５１ｃの幅と略同程度に設定されている。同様に、窓部１２ｂの軸筒周方向の幅は、押子ガイド体５０の挿通孔５１ｆの幅と略同程度に設定されている。
【００２０】
なお、軸筒１０の他例としては、一本の筒体からなる態様や、筒体の先端側に先細状の先口を接続した態様、３本以上の筒体からなる態様等とすることが可能である。
【００２１】
複数のリフィール２１，２２のうち、一つはシャープペンシル用リフィール、他方のものはボールペン用リフィールである。
シャープペンシル用リフィール２１は、筆記部２１ａ側の段部２１ｂを軸筒１０前端の開口部１１ａ１の内縁に係止された状態で、圧縮スプリング２１ｃよりも後側の芯タンク２１ｄが押されて軸方向へ往復動することによって、筆記部２１ａから鉛芯を繰り出す周知構造を有する。
また、各ボールペン用リフィール２２は、インクが充填されたインク収容管２２ｂの前端に、回転自在に転写ボールを抱持したチップ２２ａを嵌着してなる。
【００２２】
リフィールガイド部材３０は、軸筒１０内における軸方向の中央よりも若干後側に固定され、シャープペンシル用リフィール２１及びボールペン用リフィール２２，２２のそれぞれを軸方向へ貫通挿入するとともに、これらリフィール２１，２２のそれぞれに環装された付勢部材３１の先端部を受けている。
【００２３】
複数の押子４１，４２のうち、一つはクリップ６０を支持するクリップ支持用押子４１、他方のものは直接指が掛けられて操作される直接操作用押子４２である。
クリップ支持用押子４１は、その前端側がスペーサ４３を介してシャープペンシル用リフィール２１の後端部に接続され、前記付勢部材３１によって後方へ付勢されている。このクリップ支持用押子４１の後端側には、軸筒１０外に突出してクリップ６０を開閉回動可能に支持する支持突部４１ｂが設けられる。
このクリップ支持用押子４１は、装着される前記クリップ部６０が指等でスライド操作されることで進退する。
【００２４】
このクリップ支持用押子４１は、図２（ａ）に示すように、後述する押子ガイド体５０の外周部に沿って前後へスライドするように設けられたスライド部４１ａと、スライド部４１ａの後端側における軸筒径外方向側に突設された支持突部４１ｂと、スライド部４１ａの軸筒中心側の面から軸筒中心方向へ突設されて押子ガイド体５０のガイド孔５１ａに嵌め合わせられる被ガイド部４１ｃと、被ガイド部４１ｃの軸筒中心側で軸筒径方向の両側へ突出する抜止突起４１ｆと、被ガイド部４１ｃの最後端部に設けられた掛止凹部４１ｇと、リフィール２１（又は２２）の後端部を着脱可能に接続する接続部４１ｉとを有する。
【００２５】
スライド部４１ａは、押子ガイド体５０のガイド孔５１ａよりも幅（軸筒径方向の寸法）が広く、且つガイド孔５１ａの表側の縁５１ａ１に沿うように軸筒軸方向へ延設された長尺状を呈する。このスライド部４１ａの軸筒中心側の面は、ガイド孔５１ａの表側の縁５１ａ１に安定して接触するように平坦面状に形成される。
【００２６】
支持突部４１ｂは、軸筒１０外へ突出してクリップ６０を揺動自在に支持するための突起であり、クリップ６０の回動支点となる凹状のクリップ支点部４１ｂ１と、該支持突部４１ｂよりも後側に設けられた凹状のスプリング装着部４１ｂ２とを有する（図２（ａ）参照）。スプリング装着部４１ｂ２には、クリップ６０の後端側を弾発するようにコイルスプリング６１が装着される。
【００２７】
また、被ガイド部４１ｃは、スライド部４１ａの軸筒中心側の面における幅方向の中心寄りの部分から、軸筒中心方向へ向かって突出する突起であり、クリップ支持用押子４１全体の後部寄りに位置するとともに、軸筒軸方向へわたる長尺状に設けられる（図２（ａ）参照）。
この被ガイド部４１ｃは、押子ガイド体５０のガイド孔５１ａに嵌り合って前後へ導かれるように、その幅寸法（軸筒周方向の寸法）が設定されている。また、この被ガイド部４１ｃの長さ方向（軸筒軸方向）の寸法は、ガイド孔５１ａ（図３参照）の長さよりも若干長い寸法に設定される。
【００２８】
そして、前記被ガイド部４１ｃにおける軸筒中心側の縁には、他の押子４２に係合させるための前後二つの係合突起４１ｄ，４１ｅが設けられる（図２（ａ）参照）。
前側の係合突起４１ｄは、前進位置で掛止されている他の押子４２の掛止状態を解除する場合に、その押子４２に対し後方から当接する突起である。
後側の係合突起４１ｅは、前進位置で掛止されている当該クリップ支持用押子４１の掛止状態を解除する場合に、他の押子４２によって後方から当接される突起である。
これら係合突起４１ｄ，４１ｅのそれぞれの突端部は、断面Ｖ字状に形成される。
【００２９】
また、被ガイド部４１ｃの軸筒中心側の縁における係合突起４１ｄ及び係合突起４１ｅよりも前端側には、先に前進した押子４２が、押子ガイド体５０のガイド部よりも前方へ移動して軸筒内へ沈み込んだ場合に、該押子４２に対し、軸筒中心側から当接して、その沈み込みを規制する沈み込み規制部４１ｈが設けられる。
【００３０】
沈み込み規制部４１ｈは、他の押子４２の係合突起４２ｆに対し、凹凸状に嵌り合う溝であり（図５参照）、図示例について詳細に説明すれば、その前端部と軸筒中心側の端部とを開口して軸筒軸方向へ連続する断面Ｖ字状の凹溝である。
この沈み込み規制部４１ｈの軸筒軸方向の長さは、係合突起４２ｆの長さと略同等か、該長さよりも若干長く設定される。
【００３１】
また、抜止突起４１ｆは、被ガイド部４１ｃにおける軸筒中心側で軸筒周方向の両側へ突出して、ガイド孔５１ａの裏側に掛止される突起である。
【００３２】
また、掛止凹部４１ｇは、被ガイド部４１ｃの最後端部に後方向きに形成された凹部であり、クリップ支持用押子４１の後退位置で、ガイド孔５１ａ後端の縁５１ａ２に凹凸状に嵌り合う。
【００３３】
また、直接操作用押子４２は、図示例によれば、その前端側がボールペン用リフィール２２に接続され、前記付勢部材３１によって後方へ付勢されている。
【００３４】
この直接操作用押子４２は、ガイド孔５１ｄの表側の縁に摺接して前後へスライドするように設けられたスライド部４２ａと、スライド部４２ａの後端側における軸筒径外方向側に突設された操作突部４２ｂと、スライド部４２ａの軸筒中心側の面から軸筒中心方向へ突設されてガイド孔５１ｄに嵌め合わせられる被ガイド部４２ｃと、スライド部４２ａから軸筒径方向の両側へ突出する抜止突起４２ｄと、リフィール２１（又は２２）の後端部を着脱可能に接続する接続部４２ｉとを有する（図２（ｂ）参照）。
【００３５】
被ガイド部４２ｃは、おおまかには、クリップ支持用押子４１の被ガイド部４１ｃから抜止突起４１ｆ及び掛止凹部４１ｇを省いた構成とされ、前記被ガイド部４１ｃと略同様にして、前後の係合突起４２ｅ，４２ｆ、及び沈み込み規制部４２ｈを有する。
【００３６】
クリップ支持用押子４１の接続部４１ｉと、直接操作用押子４２の接続部４２ｉとは、同形状に形成される。各接続部４１ｉ（又は４２ｉ）は、先端側部分の幅寸法を後側部分よりも大きくした形状を呈する。
図示例によれば、クリップ支持用押子４１の接続部４１ｉは、スペーサ４３を介して、シャープペンシル用リフィール２１に接続される。
【００３７】
前記スペーサ４３は、シャープペンシル用リフィール２１の後端部を間接的にクリップ支持用押子４１前端の接続部４１ｉに接続する部材であり、例えば合成樹脂材料等、弾性変形可能な材料から成形される。
すなわち、一般的に、シャープペンシル用リフィールとボールペン用リフィールでは、長さ及び後端部内径が異なるため、本実施の形態ではシャープペンシル用リフィール２１と押子との接続箇所にスペーサ４３を介在している。なお、他例としては、前記長さ及び後端部内径を統一するとともにスペーサ４３を省いて、全てのリフィールをそれぞれ押子に直接接続した態様とすることも可能である。
【００３８】
また、押子ガイド体５０は、クリップ支持用押子４１及び直接操作用押子４２のそれぞれを、リフィール２１，２２前端が軸筒１０前端から突出した前進位置と、同リフィール２１，２２が軸筒１０内に没入した後退位置との間でスライドさせるように支持している。
さらに、この押子ガイド体５０は、クリップ支持用押子４１又は直接操作用押子４２を前記前進位置で係止した状態で、軸筒１０に相対して軸方向へ往復動するように設けられ、その往復動操作のためのノック部５２を、軸筒１０後端に挿通して外部へ突出している。
この構成によれば、クリップ支持用押子４１を前記前進位置で後退不能に係止した状態で、ノック部５２がノック操作されると、押子ガイド体５０の往復運動がクリップ支持用押子４１を介してシャープペンシル用リフィール２１の後部側に伝達され、シャープペンシル用リフィール２１前端から鉛芯が繰り出される。
【００３９】
押子ガイド体５０の形状について、さらに詳細に説明すれば、この押子ガイド体５０は、図３及び図４に示すように、クリップ支持用押子４１及び直接操作用押子４２の進退を案内するガイド筒部５１と、軸筒１０後端から外部へ突出するノック部５２とを具備する略段付筒状に形成される。
【００４０】
ガイド筒部５１は、後側軸筒１２の後端側に内在され、軸方向へスライド可能な略筒状に形成され、その外周側に、クリップ支持用押子４１の軸方向への進退を案内するガイド孔５１ａと、ガイド孔５１ａの前方側に連続するとともに該ガイド孔５１ａよりも軸筒周方向へ幅広に形成された挿通孔５１ｃとを有する（図３及び図４参照）。
【００４１】
さらに、このガイド筒部５１は、前記ガイド孔５１ａから周方向の両側に９０度ずれた位置、及び１８０度ずれた位置に、それぞれ、直接操作用押子４２の軸方向への進退を案内するガイド孔５１ｄと、ガイド孔５１ｄの前方側に連続するとともに該ガイド孔５１ｄよりも軸筒周方向へ幅広な挿通孔５１ｆとを有する。
【００４２】
ガイド孔５１ａは、押子ガイド体５０の周壁を軸筒径方向へ貫通するとともに軸筒軸方向へわたる長尺矩形状の孔であり、クリップ支持用押子４１の被ガイド部４１ｃを遊嵌する幅に形成される。
ガイド孔５１ａの後端側の縁５１ａ２は、後退した際のクリップ支持用押子４１の後端部に対し、凹凸状に嵌り合って、クリップ支持用押子４１のがたつきを防止する。
【００４３】
ガイド孔５１ａの前端側には、前進位置となった際のクリップ支持用押子４１の後端を係止するための掛止部５１ｂが設けられる。
この掛止部５１ｂは、前記ガイド孔５１ａの表側の縁５１ａ１の前端側に、軸筒中心方向へ階段状に凹むようにして形成される。
【００４４】
そして、ガイド孔５１ａの前端は、該ガイド孔５１ａよりも軸筒周方向へ幅広な挿通孔５１ｃに連続している。この挿通孔５１ｃは、クリップ支持用押子４１後端の支持突部４１ｂを含むクリップ支持用押子４１全体を挿通可能なように形成される。
【００４５】
また、他方のガイド孔５１ｄは、押子ガイド体５０の周壁を軸筒径方向へ貫通するとともに軸筒軸方向へわたる長尺矩形状の孔であり、直接操作用押子４２の被ガイド部４２ｃを遊嵌する幅に形成される。
このガイド孔５１ｄの前端側には、前進位置となった際の直接操作用押子４２の後端を係止するための掛止部５１ｅが、上記掛止部５１ｂと同様にして設けられる。
【００４６】
そして、ガイド孔５１ｄの前端は、該ガイド孔５１ｄよりも軸筒周方向へ幅広な挿通孔５１ｆに連続している。この挿通孔５１ｆは、直接操作用押子４２後端の操作突部４２ｂを挿通可能であって、且つ同直接操作用押子４２の両抜止突起４２ｄを挿通不能な幅に形成されている。
【００４７】
なお、図３中、符号５１ｇは、軸筒１０内周面の図示しない凸部に嵌り合って、押子ガイド体５０を回転不能に保持する凹部である。
また、図４中、符号５１ｆ１は、挿通孔５１ｆの後端縁を示す。
【００４８】
また、クリップ部６０は、開閉操作機能付クリップであり、その後端部が軸筒中心方向へ押圧されることで、前端部を軸筒１０外周面から離間するように開放し、前記押圧力が除去されると、コイルスプリング６１の付勢力によって前端部を軸筒１０外周面に接近させるように、クリップ支持用押子４１後端側の支持突部４１ｂに枢支されている。
このクリップ６０は、窓部１２ｃの幅よりも幅広に形成されるとともに、クリップ支持用押子４１と共に前進して掛止部５１ｂに掛止された際に軸筒１０外周面に近接又は接触するように形成される。したがって、仮にクリップ６０を強引に前進させて軸筒中心方向へ押圧したとしても、クリップ支持用押子４１が、挿通孔５１ｃを介して軸筒１０内へ沈み込むことはない。
【００４９】
次に、上記構成の出没式筆記具１について、その特徴的な作用効果を詳細に説明する。
先ず、全ての押子４１，４２が後退位置にある初期状態では、図６（ａ）に示すように、これら押子４１，４２は、軸筒１０内にて互いに干渉しないように配置される。
【００５０】
前記状態から何れかの直接操作用押子４２を掛止部５１ｅよりも前方へ強引に前進させ、該直接操作用押子４２の後端部を挿通孔５１ｆを介して軸筒１０内へ沈み込ませた場合には、図５、図６（ｂ）及び図７（ａ）に示すように、直接操作用押子４２後端側の係合突起４２ｆが、軸筒径方向に対向する他の直接操作用押子４２の沈み込み規制部４２ｈに嵌り合うようにして当接する。
【００５１】
この当接状態で、前記他の直接操作用押子４２が前進した場合には、この前進する直接操作用押子４２の沈み込み規制部４２ｈによって、沈み込んだ直接操作用押子４２の係合突起４２ｆ後端がせり上げられ、さらに、沈み込んだ直接操作用押子４２の係合突起４２ｆの後端傾斜面４２ｆ１に対し前記他の直接操作用押子４２の係合突起４２ｅが当接する。
したがって、沈み込んだ直接操作用押子４２の後端部は、径外方向へ移動することで、挿通孔５１ｆの後端縁５１ｆ１から外れ、付勢部材３１の付勢力によって後退することになる。
【００５２】
よって、出没式筆記具１によれば、直接操作用押子４２が強引に前進されて軸筒内へ沈み込まれた場合でも、その沈み込み量を規制することができ、ひいては、直接操作用押子４２が他の二つの押子の間に挟まれたり、沈み込んだ直接操作用押子４２の係合突起４２ｆが、他の直接操作用押子４２の係合突起４２ｅと周方向に並んで当接されない位置関係となったり等することによって、直接操作用押子４２が後退不能になるのを防ぐことができる。
【００５３】
また、上記構成の出没式筆記具１は、複数の押子４１，４２における前端の接続部４１ｉ，４２ｉを全て同形状に形成し、これら複数の接続部４１ｉ，４２ｉの各々に対し、任意に選択されたリフィール（図示例のシャープペンシル用リフィール２１、ボールペン用リフィール２２及び入力ペン用リフィール等を含む）が着脱されるようにしているため、前記リフィールをユーザの好みで選択し接続することが可能なのは勿論のこと、一度接続した後に組み替えることも容易である。
【００５４】
次に、本発明に係る出没式筆記具の他例について説明する。なお、以下に示す出没式筆記具は、上記した出没式筆記具１に対し一部を変更したものであるため、その変更部分を主に詳細に説明し、重複する詳細説明を省略する。
【００５５】
図８に要部を示す出没式筆記具２は、一つのクリップ支持用押子４１と、軸筒周方向に１２０度の間隔を置いて配置された二つの直接操作用押子４２と備え、軸筒１０に対し径方向へ移動不能な部位（押子ガイド体５０’）に、沈み込み規制部５１ｈを有し、強引な前進操作により軸筒１０内へ沈み込んだ際の押子４２に対し、他の二つの押子４１，４２を軸筒周方向の両側から近接又は接触させる（図９参照）。
【００５６】
この出没式筆記具２は、上記出没式筆記具１に対し、軸筒１０を軸筒１０’に、押子ガイド体５０を押子ガイド体５０’に置換した構成とされる。
【００５７】
軸筒１０’は、その後端側に、クリップ支持用押子４１を突出させるための一つの窓部１２ｃと、他の二つの直接操作用押子４２を突出させるための二つの窓部１２ｂとを有する。これら窓部の形状及び大きさ等は、上記出没式筆記具１のものと同様である。
【００５８】
押子ガイド体５０’は、上記押子ガイド体５０に対し、ガイド筒部５１をガイド筒部５１’に置換した構成とされる。
ガイド筒部５１’は、後側軸筒１２の後端側に内在され、軸方向へスライド可能な略筒状に形成され、その外周側には、ガイド筒部５１と同様にして、クリップ支持用押子４１に対応する一つのガイド孔５１ａ及び挿通孔５１ｃと、直接操作用押子４２に対応する二つのガイド孔５１ｄ及び挿通孔５１ｆとを有する。
さらに、このガイド筒部５１’は、一方のガイド孔５１ａの前方側に、挿通孔５１ｃ内の後端側で軸筒中心方向へ突出する沈み込み規制部５１ｈを有する。
【００５９】
沈み込み規制部５１ｈは、直接操作用押子４２の後端部が挿通孔５１ｃ内へ沈み込んだ場合に、該直接操作用押子４２の係合突起４２ｆに対し当接して、直接操作用押子４２の沈み込みを規制するように設けられる。
この沈み込み規制部５１ｈは、図９に示すように、軸筒周方向において、クリップ支持用押子４１の被ガイド部４１ｃの両側に位置するように二つ設けられる。
【００６０】
各沈み込み規制部５１ｈには、直接操作用押子４２の係合突起４２ｆの突端に当接させるための被当接面５１ｈ１が設けられる。この被当接面５１ｈ１は、図示例によれば、平坦面である。
【００６１】
上記構成の出没式筆記具２によれば、先ず、全ての押子４１，４２が後退位置にある初期状態では、図９（ａ）に示すように、これら押子４１，４２、及び沈み込み規制部５１ｈは、軸筒１０内にて互いに干渉しないように配置される。
前記状態から何れかの直接操作用押子４２を掛止部５１ｅよりも前方へ強引に前進させ、該直接操作用押子４２の後端部を挿通孔５１ｆから軸筒１０内へ沈み込ませた場合には、図９（ｂ）に示すように、直接操作用押子４２後端側の係合突起４２ｆが、沈み込み規制部５１ｈの被当接面５１ｈ１に当接するとともに、この係合突起４２ｆに対し、軸筒周方向の両側から、クリップ支持用押子４１の被ガイド部４１ｃと、他の直接操作用押子４２の被ガイド部４２ｃとが近接又は接触する。
【００６２】
したがって、沈み込んだ直接操作用押子４２は、その沈み込み量が抑制されるとともに、該直接操作用押子４２の係合突起４２ｆが軸筒１０の中心線と交差するように保持される。
この状態で、前記他の押子４１（又は４２）が前進した場合には、この前進する押子４１（又は４２）の係合突起４１ｄ（又は４２ｅ）が、沈み込んだ直接操作用押子４２の係合突起４２ｆに当接する。
よって、沈み込んだ直接操作用押子４２の後端部は、径外方向へ移動することで、挿通孔５１ｆの後端縁５１ｆ１から外れ、付勢部材３１の付勢力によって後退することになる。
【００６３】
なお、図８〜１１に示す一例では、沈み込み規制部５１ｈの被当接面５１ｈ１を平坦面としたが、他の好ましい一例としては、この被当接面を、軸筒軸方向へ延設されたＶ溝としてもよい。
【００６４】
また、図８〜１１に示す一例では、二つの沈み込み規制部５１ｈを押子ガイド体５０と一体に構成したが、他例としては、略同形状の沈み込み規制部をクリップ支持用押子４１と一体に構成することも可能である。
【００６５】
また、上記実施の形態では、押子４１，４２を押子ガイド体５０（又は５０’）によって進退方向へ案内するようにしたが、他例としては、押子ガイド体５０（又は５０’）を省き、軸筒１０（又は１０’）の周壁によって直接的に押子４１，４２の進退を案内する構造とすることも可能である。
【００６６】
また、上記実施の形態では、押子４１（又は４２）の掛止状態を他の押子の前進により解除するようにしたが、他例としては、軸筒周壁に解除ボタンを設け、該解除ボタンが押圧操作された際に、該解除ボタンの裏側部分が掛止状態の押子に当接して、掛止状態が解除される構造とすることも可能である。
【００６７】
また、図６に示す形態において、沈み込んだ直接操作用押子４２に対し、その両側から他の押子４１，４２を近接又は接触させることも可能であり、この構成によれば、沈み込んだ直接操作用押子４２が軸筒１０内で周方向へ傾くのをより効果的に防止することができる。
【符号の説明】
【００６８】
１，２：出没式筆記具                      １０：軸筒
２１：シャープペンシル用リフィール        ２２：ボールペン用リフィール
４１：クリップ支持用押子                  ４１ｃ，４２ｃ：被ガイド部
４１ｄ，４１ｅ，４２ｅ，４２ｆ：係合突起
４１ｉ，４２ｉ：接続部                    ４２：直接操作用押子
５０：押子ガイド体                        ５１ａ，５１ｄ：ガイド孔
５１ｂ，５１ｅ：掛止部                    ５１ｃ，５１ｆ：挿通孔
４２ｈ，５１ｈ：沈み込み規制部
【図１】
0005758666.tif 000002
【図２】
0005758666.tif 000003
【図３】
0005758666.tif 000004
【図４】
0005758666.tif 000005
【図５】
0005758666.tif 000006
【図６】
0005758666.tif 000007
【図７】
0005758666.tif 000008
【図８】
0005758666.tif 000009
【図９】
0005758666.tif 000010
【図１０】
0005758666.tif 000011
【図１１】
0005758666.tif 000012